(57)【要約】      （修正有）【課題】ユーザが予め指定（選択）した映像ファイルを、自動再生することのできる映像ファイル再生装置を提供すること。【解決手段】複数の映像ファイルを予め格納するための第１の記憶部と、再生対象の映像ファイルを特定するためのファイル特定情報と、再生対象の映像ファイルの特定日の情報を含む再生関連情報とを対応付けて、再生予約管理情報として記憶するための第２の記憶部と、日時を計測するための計測回路と、計測される日時の情報と再生予約管理情報とに基づいて、再生対象の映像ファイルの特定日再生を制御するための再生制御部とを備える。再生制御部は、計測される日時が、特定日から所定期間内であるか否かを判定する（Ｓ１０８）。所定期間内であると判定された場合に（Ｓ１０８でＹＥＳ）、対応するファイル特定情報に基づき映像ファイルを特定し（Ｓ１１４）、映像ファイルの再生開始を指示する（Ｓ１１６）。【選択図】図１３
2007150548.tif 000002
【特許請求の範囲】
【請求項１】
複数の映像ファイルを予め格納するための第１の記憶手段と、
ユーザからの指示に基づき、映像ファイルの再生予約を設定するための再生予約設定手段とを備え、
前記再生予約設定手段は、
前記複数の映像ファイルから、再生対象の映像ファイルを選択するための選択手段と、
前記選択手段により選択された映像ファイルについての再生関連情報の入力を受け付けるための受付手段とを含み、
前記再生関連情報は、前記選択された映像ファイルの特定日の情報と表示するメッセージの情報とを含み、
前記選択された映像ファイルを特定するためのファイル特定情報と前記再生関連情報とを対応付けて、再生予約管理情報として記憶するための第２の記憶手段と、
日時を計測するための計測手段と、
前記計測手段により計測される日時の情報と、前記再生予約管理情報とに基づいて、前記選択された映像ファイルの特定日再生を制御するための再生制御手段とを備え、
前記再生制御手段は、
前記計測手段により計測される日時が、前記特定日から所定期間内であるか否かを判定するための判定手段と、
前記判定手段により前記所定期間内であると判定された場合に、対応する前記ファイル特定情報に基づき映像ファイルを特定するための特定手段と、
前記特定手段により特定された映像ファイルの再生開始を指示するための指示手段と、
対応する前記メッセージの情報を読み出すための読み出し手段とを含み、
前記指示手段からの指示信号に基づき、前記特定された映像ファイルを再生するための再生手段と、
前記読み出し手段により読み出されたメッセージの情報を表示するための信号を生成する生成手段とをさらに備える、映像ファイル再生装置。
【請求項２】
複数の映像ファイルを予め格納するための第１の記憶手段と、
前記複数の映像ファイルのうち再生対象の映像ファイルを特定するためのファイル特定情報と、前記再生対象の映像ファイルの特定日の情報を含む再生関連情報とを対応付けて、再生予約管理情報として記憶するための第２の記憶手段と、
日時を計測するための計測手段と、
前記計測手段により計測される日時の情報と、前記再生予約管理情報とに基づいて、前記再生対象の映像ファイルの特定日再生を制御するための再生制御手段とを備え、
前記再生制御手段は、
前記計測手段により計測される日時が、前記特定日から所定期間内であるか否かを判定するための判定手段と、
前記判定手段により前記所定期間内であると判定された場合に、対応する前記ファイル特定情報に基づき映像ファイルを特定するための特定手段と、
前記特定手段により特定された映像ファイルの再生開始を指示するための指示手段とを含み、
前記指示手段からの指示信号に基づき、前記特定された映像ファイルを再生するための再生手段をさらに備える、映像ファイル再生装置。
【請求項３】
ユーザからの指示に基づき、前記再生対象の映像ファイルの再生予約を設定するための再生予約設定手段をさらに備え、
前記再生予約設定手段は、
前記複数の映像ファイルから、前記再生対象の映像ファイルを選択するための選択手段と、
前記選択手段により選択された映像ファイルについての前記再生関連情報の入力を受け付けるための受付手段とを含む、請求項２に記載の映像ファイル再生装置。
【請求項４】
前記再生関連情報は、メッセージの情報をさらに含み、
前記再生制御手段は、前記判定手段により前記所定期間内であると判定された場合に、対応する前記メッセージの情報を読み出すための読み出し手段をさらに含み、
前記読み出し手段により読み出されたメッセージの情報を表示するための信号を生成する生成手段をさらに備える、請求項２に記載の映像ファイル再生装置。
【請求項５】
前記第２の記憶手段には、前記ファイル特定情報により特定される映像ファイルに関するファイル情報を非表示にするか否かを識別するための表示識別情報がさらに対応付けて記憶され、
前記第１の記憶手段に記憶された前記複数の映像ファイルに関するファイル情報を一覧を表示するための一覧表示手段をさらに備え、
前記一覧表示手段は、前記表示識別情報に基づいて、表示するファイル情報を選択する、請求項２に記載の映像ファイル再生装置。
【請求項６】
前記判定手段は、ユーザより電源投入の指示が入力された場合に、判定を行なう、請求項２に記載の映像ファイル再生装置。
【請求項７】
前記再生関連情報は、前記再生対象の映像ファイルの再生周期を示す周期情報をさらに含み、
前記再生制御手段は、前記周期情報に基づいて、前記第２の記憶手段に記憶された前記特定日の情報を更新する、請求項２に記載の映像ファイル再生装置。
【請求項８】
前記再生関連情報は、再生済か否かを識別するための再生識別情報をさらに含み、
前記判定手段は、前記再生識別情報が未再生であることを示している場合に、判定を行なう、請求項２に記載の映像ファイル再生装置。
【請求項９】
前記第２の記憶手段には、複数の再生予約管理情報が格納され、
前記再生制御手段は、前記再生識別情報が未再生であることを示す前記再生予約管理情報が存在するか否かを判断するための第１の判断手段をさらに含み、
前記判定手段は、
前記第１の判断手段により存在すると判断された場合に、前記未再生であることを示す再生予約管理情報が複数存在するか否かを判断するための第２の判断手段を有し、
前記判定手段は、複数存在すると判断された場合には、複数の前記未再生であることを示す再生予約管理情報それぞれに含まれる複数の特定日のうち、前記計測される日時の直近の特定日から前記所定期間内であるか否かを判断する、請求項８に記載の映像ファイル再生装置。
【請求項１０】
着脱可能な記録媒体を駆動するための駆動手段と、
前記記録媒体に記録された映像ファイルを、前記第１の記憶手段に再記録するための再記録手段とをさらに備える、請求項２に記載の映像ファイル再生装置。
【発明の詳細な説明】
【技術分野】
【０００１】
本発明は、映像ファイル再生装置に関し、特に、日時の計測機能を有する映像ファイル再生装置に関する。
【背景技術】
【０００２】
従来より、家族の誕生日や結婚記念日などの記念日に何らかのメッセージを出力可能な装置が提案されている。
【０００３】
特許文献１には、個人の記念日や誕生日等の指定日に、ユーザが予め入力して記憶させたメッセージを表示可能とした映像機器システムが開示されている。特許文献２には、使用者が入力したデータを記憶するメモリを有し、メモリに記憶された内容を、自由に設定した日時、時間に出力できる機能を有する時間制御音声映像管理システム付きテレビジョンが開示されている。
【０００４】
また、特許文献３には、映像情報や音声情報を記録媒体に記録するとともに、各情報を所定の時間に表示し音声を発するように編集して構成した番組を記録した番組情報の記録媒体が開示されている。
【特許文献１】特開平７−２３３０６号公報
【特許文献２】特開２００１−２４９６６号公報
【特許文献３】特開２００４−２５４２３１号公報
【発明の開示】
【発明が解決しようとする課題】
【０００５】
しかしながら、特許文献１および２では、予め設定した日に、装置自体に格納された映像ファイルを再生することはできない。
【０００６】
本発明は、上記のような問題を解決するためになされたものであって、その目的は、ユーザが予め指定（選択）した映像ファイルを、自動再生することのできる映像ファイル再生装置を提供することである。
【課題を解決するための手段】
【０００７】
この発明のある局面に従う映像ファイル再生装置は、複数の映像ファイルを予め格納するための第１の記憶手段と、ユーザからの指示に基づき、映像ファイルの再生予約を設定するための再生予約設定手段とを備え、再生予約設定手段は、複数の映像ファイルから、再生対象の映像ファイルを選択するための選択手段と、選択手段により選択された映像ファイルについての再生関連情報の入力を受け付けるための受付手段とを含み、再生関連情報は、選択された映像ファイルの特定日の情報と表示するメッセージの情報とを含み、選択された映像ファイルを特定するためのファイル特定情報と再生関連情報とを対応付けて、再生予約管理情報として記憶するための第２の記憶手段と、日時を計測するための計測手段と、計測手段により計測される日時の情報と、再生予約管理情報とに基づいて、選択された映像ファイルの特定日再生を制御するための再生制御手段とを備え、再生制御手段は、計測手段により計測される日時が、特定日から所定期間内であるか否かを判定するための判定手段と、判定手段により所定期間内であると判定された場合に、対応するファイル特定情報に基づき映像ファイルを特定するための特定手段と、特定手段により特定された映像ファイルの再生開始を指示するための指示手段と、対応するメッセージの情報を読み出すための読み出し手段とを含み、指示手段からの指示信号に基づき、特定された映像ファイルを再生するための再生手段と、読み出し手段により読み出されたメッセージの情報を表示するための信号を生成する生成手段とをさらに備える。
【０００８】
この発明の他の局面に従う映像ファイル再生装置は、複数の映像ファイルを予め格納するための第１の記憶手段と、複数の映像ファイルのうち再生対象の映像ファイルを特定するためのファイル特定情報と、再生対象の映像ファイルの特定日の情報を含む再生関連情報とを対応付けて、再生予約管理情報として記憶するための第２の記憶手段と、日時を計測するための計測手段と、計測手段により計測される日時の情報と、再生予約管理情報とに基づいて、再生対象の映像ファイルの特定日再生を制御するための再生制御手段とを備え、再生制御手段は、計測手段により計測される日時が、特定日から所定期間内であるか否かを判定するための判定手段と、判定手段により所定期間内であると判定された場合に、対応するファイル特定情報に基づき映像ファイルを特定するための特定手段と、特定手段により特定された映像ファイルの再生開始を指示するための指示手段とを含み、指示手段からの指示信号に基づき、特定された映像ファイルを再生するための再生手段をさらに備える。
【０００９】
好ましくは、ユーザからの指示に基づき、再生対象の映像ファイルの再生予約を設定するための再生予約設定手段をさらに備え、再生予約設定手段は、複数の映像ファイルから、再生対象の映像ファイルを選択するための選択手段と、選択手段により選択された映像ファイルについての再生関連情報の入力を受け付けるための受付手段とを含む。
【００１０】
好ましくは、再生関連情報は、メッセージの情報をさらに含み、再生制御手段は、判定手段により所定期間内であると判定された場合に、対応するメッセージの情報を読み出すための読み出し手段をさらに含み、読み出し手段により読み出されたメッセージの情報を表示するための信号を生成する生成手段をさらに備える。
【００１１】
好ましくは、前記第２の記憶手段には、前記ファイル特定情報により特定される映像ファイルに関するファイル情報を非表示にするか否かを識別するための表示識別情報がさらに対応付けて記憶され、第１の記憶手段に記憶された複数の映像ファイルに関するファイル情報を一覧を表示するための一覧表示手段をさらに備え、一覧表示手段は、表示識別情報に基づいて、表示するファイル情報を選択する。
【００１２】
好ましくは、判定手段は、ユーザより電源投入の指示が入力された場合に、判定を行なう。
【００１３】
好ましくは、再生関連情報は、再生対象の映像ファイルの再生周期を示す周期情報をさらに含み、再生制御手段は、周期情報に基づいて、第２の記憶手段に記憶された特定日の情報を更新する。
【００１４】
好ましくは、再生関連情報は、再生済か否かを識別するための再生識別情報をさらに含み、判定手段は、再生識別情報が未再生であることを示している場合に、判定を行なう。
【００１５】
好ましくは、第２の記憶手段には、複数の再生予約管理情報が格納され、再生制御手段は、再生識別情報が未再生であることを示す再生予約管理情報が存在するか否かを判断するための第１の判断手段をさらに含み、判定手段は、第１の判断手段により存在すると判断された場合に、未再生であることを示す再生予約管理情報が複数存在するか否かを判断するための第２の判断手段を有し、判定手段は、複数存在すると判断された場合には、複数の未再生であることを示す再生予約管理情報それぞれに含まれる複数の特定日のうち、計測される日時の直近の特定日から所定期間内であるか否かを判断する。
【００１６】
好ましくは、着脱可能な記録媒体を駆動するための駆動手段と、記録媒体に記録された映像ファイルを、第１の記憶手段に再記録するための再記録手段とをさらに備える。
【発明の効果】
【００１７】
本発明によると、特定日から所定期間内に、予め格納された映像ファイルを自動的に再生することができる。これにより、結婚記念日や家族の誕生日などの記念日を特定日に設定しておくことで、感動的な演出が可能となる。
【発明を実施するための最良の形態】
【００１８】
本発明の実施の形態について図面を参照しながら詳細に説明する。なお、図中同一または相当部分には同一符号を付してその説明は繰返さない。
【００１９】
（構成について）
図１を参照して、本発明の実施の形態に係る映像ファイル再生装置の一態様であるＤＶＤレコーダ１００について説明する。図１は、ＤＶＤレコーダ１００のハードウェア構成を表わすブロック図である。
【００２０】
ＤＶＤレコーダ１００は、各種データを格納するためのメモリ１１２と、格納されているデータおよび外部から入力される指示に基づいて予め定められた処理を実行するためのシステム制御部１１０と、外部からユーザの指示の入力を受付けるための操作部１２２と、リモコン信号を受信して所定の制御信号をシステム制御部１１０に出力するための受光部１２４と、時刻を計測して信号をシステム制御部１１０に出力するための計時回路１２６と、ＤＶＤレコーダ１００の作動状態を表わす情報を表示するための表示部１２８とを含む。なお、表示部１２８に表示される作動状態とは、たとえば、ＤＶＤレコーダ１００における時刻情報、番組の再生状況等である。
【００２１】
図１を再び参照して、ＤＶＤレコーダ１００はさらに、アンテナ１９０と、受信された電波から所定の電波を選択するためのチューナ１３０と、外部から映像および音声信号の入力を受付けるための外部入力部１３２と、入力される信号を所定の処理に基づいて圧縮するためのＭＰＥＧ（Moving Picture Experts Group）エンコーダ１５２と、システム制御部１１０からの指示に基づいてデジタルデータを格納するためのハードディスク装置１４０と、着脱可能な記録媒体たとえばＤＶＤ１７２を駆動して映像音声データを記録したり再生したりするための駆動装置１７０と、圧縮されている映像音声信号を復号化するためのＭＰＥＧデコーダ１５４と、映像の表示画面にＤＶＤレコーダ１００の作動状態その他の情報を表示する信号を生成するためのＯＳＤ（On Screen Display）画像生成回路１１４と、ＯＳＤ画像生成回路１１４により生成された信号とＭＰＥＧデコーダ１５４からの出力信号とを合成して出力するための合成回路１５８と、入力されるデジタル信号をアナログ信号に変換して出力するためのＤ／Ａ（Digital to Analog）変換部１６０と、伝送ケーブル１９２が接続可能であり映像音声信号を出力するための出力部１６８とを含む。ＤＶＤレコーダ１００は、伝送ケーブル１９２を介して、テレビ４００に接続されている。ハードディスク装置１４０は、データの記録と再生を行なうデータ記録再生ヘッド１４２と、データが格納されるハードディスク１４４とを含む。
【００２２】
本実施の形態において、システム制御部１１０は、ユーザからの指示に基づき、１群の映像データ（以下「映像ファイル」という）の再生予約を設定するための再生予約設定部１１０２および、計時回路１２６により計測される日時データと後述する再生予約管理データとに基づいて、映像ファイルの特定日再生を制御するための再生制御部１１０４を含む。
【００２３】
ここで、「特定日再生」とは、ユーザが選択（指定）した映像ファイルが特定日に再生されることをいい、「特定日」とは、映像ファイルの再生日を特定するための日であり、ユーザが映像ファイルを自動再生したい日、たとえば、結婚記念日や誕生日などの記念日、あるいは何かを伝えたい日に該当する。
【００２４】
再生予約設定部１１０２は、たとえばハードディスク装置１４０に格納された複数の映像ファイルから、再生予約対象の映像ファイルを選択する。また、選択された映像ファイルの再生関連情報の入力を受け付ける。再生関連情報は、少なくとも、特定日の情報を含み、好ましくは、メッセージの情報をさらに含む。本実施の形態では、いずれの情報も含むものとする。
【００２５】
選択された映像ファイルを特定するための情報（以下「ファイル特定情報」という）と、選択された映像ファイルの再生関連情報とは、対応付けられて、たとえばハードディスク装置１４０に記憶される。
【００２６】
再生制御部１１０４は、計時回路１２６により計測される日時データが、特定日から所定期間（たとえば１週間）内であるか否かを判定する。現在の日時が特定日から所定期間内であると判定された場合、対応するファイル特定情報に基づき、特定日再生の対象となる映像ファイルを特定する。そして、特定された映像ファイルの再生を開始するように、ハードディスク装置１４０に対して指示信号を送信する。また、対応するメッセージの情報を読み出す制御を行なう。なお、再生制御部１１０４は、特定日から所定期間内であるか否かを判定することとしたが、特定日であるか否かを判定してもよい。つまり、特定日にのみ、対応する映像ファイルの再生を可能としてもよい。
【００２７】
なお、再生予約設定部１１０２および再生制御部１１０４それぞれが実行する具体的な処理については後述する。
【００２８】
本発明の実施の形態において、再生予約および特定日再生の対象となる映像ファイルは、ハードディスク装置１４０に予め格納された映像ファイルであるものとする。
【００２９】
ＤＶＤレコーダ１００は、駆動装置１７０を駆動してＤＶＤ１７２に記録された映像ファイルを、ハードディスク装置１４０にダビングする機能を有する。また、外部入力部１３２より入力される映像ファイルがハードディスク装置１４０に格納されてもよい。また、ここでは、編集機能を有する外部装置において編集された映像ファイルがハードディスク装置１４０に格納されているものと想定する。すなわち、再生予約および特定日再生の対象となる映像ファイルは、編集機能を有する外部装置において編集された映像ファイルであるものと想定する。なお、ＤＶＤレコーダ１００が映像ファイルの編集機能を有していてもよい。
【００３０】
また、ここでは、再生予約および特定日再生の対象となる映像ファイルとして、予め編集された映像ファイルを想定するが、編集されていない映像ファイルであってもよい。たとえば、チューナ１３０において受信される放送信号に基づく映像ファイルが、再生予約および特定日再生の対象とされてもよい。
【００３１】
図２は、本発明の実施の形態におけるハードディスク１４４の構造例を示す図である。ハードディスク１４４は、データ領域２１と管理領域２２とを含む。データ領域２１には、複数の映像ファイルが格納される。管理領域２２には、ファイル管理テーブル２２１および特定日再生管理テーブル２２２が格納される。
【００３２】
図３は、本発明の実施の形態におけるファイル管理テーブル２２１のデータ構造の一例を示す図である。ファイル管理テーブル２２１は、データ領域２１に格納されている映像ファイルそれぞれを管理するためのファイル管理データＢｊ（ｊ＝１、２、３、…、ｎ）を有する。
【００３３】
ファイル管理データＢｊは、録画日時データＤ１、ソースデータＤ２、ファイル名データＤ３、アドレスデータＤ４、チャンネルデータＤ５および画像位置データＤ６を含む。
【００３４】
録画日時データＤ１は、管理対象の映像ファイルが録画された日時（年，月，日）を示すデータである。「録画された日時」とは、ハードディスク１４４に記録された日時である。したがって、たとえば、映像ファイルがＤＶＤ１７２からダビングされたファイルである場合にはダビングされた日時の情報が格納される。ソースデータＤ２は、映像ファイルの記録元の情報を示すデータである。ファイル名データＤ３は、映像ファイルのファイル名を示すデータである。アドレスデータＤ４は、映像ファイルの格納場所を特定するためのデータである。チャンネルデータＤ５は、対象の映像ファイルが、チューナ１３０において受信した放送信号に基づく映像ファイルである場合に、提供先の放送局を特定するためのデータである。画像位置データＤ６は、インデックス画像（たとえばサムネイル）の位置を示すデータであり、たとえば、アドレスデータや、時間データ（開始からの経過時間を示すデータ）などが格納される。なお、インデックス画像の設定方法は、たとえば公知の技術を用いることができる。
【００３５】
図４は、本発明の実施の形態における特定日再生管理テーブル２２２のデータ構造の一例を示す図である。
【００３６】
図４を参照して、特定日再生管理テーブル２２２は、特定日再生管理データＡｉ（ｉ＝１、２、３、…、ｍ）を有する。特定日再生管理データＡｉは、特定日データＣ１、種別データＣ２、ファイル名データＣ３、メッセージデータＣ４、周期データＣ５、再生フラグＣ６、表示フラグＣ７およびパスワードデータＣ８を含む。
【００３７】
特定日データＣ１は、上記した特定日（年，月，日，（時，分））を示すデータである。
【００３８】
種別データＣ２は、特定日の種類を示すデータである。たとえば、特定日の種類が結婚記念日であれば“１”、誕生日であれば“２”が格納される。
【００３９】
ファイル名データＣ３は、対象の映像ファイルを特定するための情報（ファイル特定情報）であり、ここではたとえばファイル名のデータが格納される。
【００４０】
メッセージデータＣ４は、ユーザにより入力されたメッセージを表わすテキストデータである。
【００４１】
周期データＣ５は、特定日再生の周期を識別するためのデータである。たとえば、周期が毎年であれば“１”、毎月であれば“２”が格納される。周期は、２年に１回などであってもよい。
【００４２】
再生フラグＣ６は、再生済か否かを識別するためのデータである。たとえば、再生済であれば“１”、未再生であれば“０”が格納される。
【００４３】
表示フラグＣ７は、ファイル一覧を表示する際に、映像ファイル情報を表示するか否かを識別するための情報である。たとえば、表示不可であれば“１”、表示可能であれば“０”が格納される。なお、「映像ファイル情報」とは、映像ファイルに関する情報であって、映像ファイルの内容を特定可能な情報であり、ファイル管理データＢｊに含まれる複数のデータのうち、少なくとも１つの情報である。本実施の形態では、たとえばインデックス画像およびファイル名を映像ファイル情報として説明する。なお、以下の説明において、表示フラグＣ７の値が“１”であることを「ファイル表示不可」、表示フラグＣ７の値が“０”であることを「ファイル表示可」ともいう。
【００４４】
パスワードデータＣ８は、ファイル表示不可の映像ファイル情報を、表示可能とするために必要な情報、たとえばパスワードを示すデータである。したがって、表示フラグＣ７の値が“１”である場合に、ユーザにより入力された文字データや数値データなどが格納される。
【００４５】
このように、特定日再生管理データＡｊには、映像ファイルを特定するための情報（たとえばファイル名データＣ３）と、再生関連情報（たとえば、特定日データＣ１，種別データＣ２，メッセージデータＣ４，周期データＣ５，再生フラグＣ６）とが含まれる。また、特定日再生管理データＡｊには、さらに、映像ファイル情報の表示可否情報（たとえば、表示フラグＣ７およびパスワードデータＣ８）が含まれることが好ましい。
【００４６】
なお、特定日再生管理データＡｊは、表示フラグＣ７およびパスワードデータＣ８を含まないものであってもよい。また、種別データＣ２を含まないものであってもよい。また、メッセージデータＣ４がブランクの場合（ユーザがメッセージを入力しなかった場合）には、種別データＣ２が示す特定日の種類に応じて、メッセージが定められてもよい。すなわち、たとえば、ハードディスク１４４の管理領域２２に、特定日の種類のそれぞれとメッセージとが対応付けられたメッセージ対応テーブルを予め記憶しておき、このメッセージ対応テーブルに基づいて、メッセージが選択されてもよい。メッセージ対応テーブルには、たとえば、特定日の種類：“誕生日”と、メッセージ：「誕生日おめでとう」とが対応付けて記憶され、特定日の種類：“結婚記念日”と、メッセージ：「いつもありがとう」とが対応付けて記憶される。そして、この場合、特定日の種類：“その他”の場合のみ、メッセージの入力を受け付けてもよい。
【００４７】
（動作について）
（再生予約）
図５〜図１２を用いて、再生予約の設定方法について説明する。
【００４８】
図５は、本発明の実施の形態におけるメニュー選択画面の一例を示す図である。図６は、本発明の実施の形態における再生予約設定処理を示すフローチャートである。図６のフローチャートに示す処理は、予めプログラムとしてメモリ１１２に格納されており、システム制御部１１０がこのプログラムを読み出して実行することにより、再生予約設定処理の機能が実現される。また、図６に示す処理は、たとえば、図５に示すようなメニュー選択画面において、ユーザが、“特定日再生予約設定”メニューを選択した場合に開始される処理である。図５のメニュー選択画面は、システム制御部１１０が、たとえば受光部１２４を介して、メニュー表示の指示信号を検知した場合に、テレビ４００にＯＳＤ表示される。
【００４９】
メニュー選択画面には、ＤＶＤレコーダ１００についての複数のメニューが表示される。たとえば、タイマ録画予約の設定メニューを選択するための“タイマ録画予約設定”ボタン６１、映像ファイルの再生メニューを選択するための“ファイル再生”ボタン６２、（特定日）再生予約の設定メニューを選択するための“特定日再生予約設定”ボタン６３などが表示される。このようなメニュー選択画面において、ユーザが“特定日再生予約設定”ボタン６３を選択した場合に、図６に示される処理が開始される。なお、タイマ録画予約の設定方法および映像ファイルの再生方法は、公知の方法により実行されてよい。
【００５０】
図６を参照して、初めに、再生予約設定部１１０２は、ファイル一覧表示処理（映像ファイル情報の一覧表示処理）を実行する（ステップＳ２）。このファイル一覧表示処理については、後に図７を用いて説明する。
【００５１】
次に、再生予約設定部１１０２は、ユーザにより映像ファイル情報が選択されたか否かを判断する（ステップＳ４）。具体的には、一覧表示された複数の映像ファイル情報のうち１つが選択された否かが判断される。
【００５２】
ステップＳ４において、ユーザにより映像ファイル情報が選択されたと判断した場合（ステップＳ４においてＹＥＳ）、ステップＳ１８に進む。一方、映像ファイル情報が選択されていないと判断した場合（ステップＳ４においてＮＯ）、ステップＳ６に進む。
【００５３】
ステップＳ６において、再生予約設定部１１０２は、ファイル一覧表示画面中の所定の領域（図８の符号７２）が選択されたか否かを判断する。所定の領域が選択されたと判断した場合（ステップＳ６においてＹＥＳ）、ステップＳ８に進む。所定の領域が選択されていないと判断した場合（ステップＳ６においてＮＯ）、ステップＳ４に戻る。
【００５４】
ステップＳ８において、再生予約設定部１１０２は、パスワードをユーザに問い合わせる。そして、パスワードの入力を受け付け（ステップＳ１０）、入力されたパスワードが、パスワードデータＣ８と一致するか否かを判断する（ステップＳ１２）。
【００５５】
パスワードが一致したと判断した場合（ステップＳ１２においてＹＥＳ）、ステップＳ１４に進む。パスワードが一致していないと判断した場合（ステップＳ１２においてＮＯ）、ステップＳ４に戻る。
【００５６】
ステップＳ１４において、再生予約設定部１１０２は、パスワードが一致する、ファイル表示不可の映像ファイル情報を表示する。より具体的には、まず、入力されたパスワードと一致するパスワードデータＣ８を含む特定日再生管理データＡｉのファイル名データＣ３と一致するファイル名データＤ３を検索する。そして、検索されたファイル名データＤ３に対応する画像位置データＤ６に基づいて、サムネイル画像を読み出す制御を行なう。そして、当該サムネル画像をＯＳＤ画像生成回路１１４に与える。
【００５７】
次に、再生予約設定部１１０２は、表示された（ファイル表示不可の）映像ファイル情報のうち、１つが選択されたか否かを判断する（ステップＳ１６）。再生予約設定部１１０２は、（ファイル表示不可の）映像ファイル情報が選択されるまで待機し（ステップＳ１６においてＮＯ）、選択されたと判断した場合に（ステップＳ１６においてＹＥＳ）、ステップＳ１８に進む。
【００５８】
ステップＳ１８において、再生予約設定部１１０２は、テレビ４００に、特定日再生予約の設定画面をテレビ４００にＯＳＤ表示する。そして、再生予約設定部１１０２は、選択された映像ファイル情報に対応する映像ファイルについての再生関連情報の入力を受付ける（ステップＳ２０）。ここで、再生予約の設定画面の具体例を、図９に示す。
【００５９】
図９は、本発明の実施の形態における再生予約の設定画面の一例を示す図である。図９を参照して、設定画面には、ファイル名８０（たとえば「結婚式」）が表示され、再生関連情報として、特定日、種別、メッセージおよび周期を入力するための入力欄が設けられる。この例においては、種別および周期の入力欄は、プルダウン方式となっており、ユーザは、表示される複数の項目の中から１つを選択することができる。なお、特定日としては、日付の他、時・分も入力可能としてもよい。これにより、自動再生を可能とする時刻も指定することができる。
【００６０】
また、設定画面には、映像ファイル情報を非表示にするか否かを選択するためのチェックボックスと、パスワードを入力するための入力欄とがさらに設けられる。また、設定画面には、入力完了を指示するために設けられた決定ボタン８１と、表示中の再生予約を取り消すための取消ボタン８２とが設けられる。
【００６１】
なお、これらの情報の入力は、ユーザがたとえばリモコンのテンキー、カーソルキー、決定キーなどを操作することで行なわれる。
【００６２】
再び図６を参照して、再生予約設定部１１０２は、設定画面に表示された決定ボタン８１および取消ボタン８２のうちのいずれかが選択されたか否かを判断する（ステップＳ２２）。いずれのボタンも選択されていないと判断した場合（ステップＳ２２においてＮＯ）、ステップＳ２０に戻る。
【００６３】
ステップＳ２２において決定ボタン８１が選択されたと判断した場合（ステップＳ２２においてＹＥＳ・「決定」）、ステップＳ２４に進む。一方、取消ボタン８２が選択されたと判断した場合（ステップＳ２２においてＹＥＳ・「取消」）、ステップＳ２６に進む。
【００６４】
ステップＳ２４において、再生予約設定部１１０２は、入力された再生関連情報に基づき、特定日再生管理テーブル２２２に特定日再生管理データＡｉを新規登録する。なお、ステップＳ４で選択された映像ファイル情報が、既存の特定日再生管理データＡｉに対応する情報である場合には、当該特定日再生管理データＡｉに含まれる再生関連情報を更新する。
【００６５】
ステップＳ２６において、再生予約設定部１１０２は、特定日再生管理テーブル２２２から、対象の特定日再生管理データＡｉを削除する。つまり、ステップＳ４で選択された映像ファイル情報が、既存の特定日再生管理データＡｉに対応する情報である場合に、取消ボタン８２が選択されると、当該特定日再生管理データＡｉを特定日再生管理テーブル２２２から削除する。
【００６６】
以上で再生予約設定処理を終了する。
図７は、図６のステップＳ２に示したファイル一覧表示処理を示すフローチャートである。
【００６７】
再生予約設定部１１０２は、はじめに、ファイル管理テーブル２２１を読出す（ステップＳ４２）。次に、特定日再生管理テーブル２２２を読出す（ステップＳ４４）。そして、表示フラグＣ７に基づいて、ファイル表示不可の特定日再生管理データＡｉがあるか否かを判断する（ステップＳ４６）。ファイル表示不可の特定日再生管理データＡｉがあると判断された場合（ステップＳ４６においてＹＥＳ）、ステップＳ４８に進む。一方、ファイル表示不可の特定日再生管理データＡｉがないと判断された場合（ステップＳ４６においてＮＯ）、ステップＳ５２に進む。
【００６８】
ステップＳ４８において、再生予約設定部１１０２は、ファイル表示不可のファイル名データＣ３と一致するファイル名データＤ３以外のファイル名データＤ３に対応する映像ファイル情報を一覧表示する（ステップＳ４８）。
【００６９】
ステップＳ５２において、再生予約設定部１１０２は、すべての映像ファイル情報を一覧表示する。
【００７０】
図８は、本発明の実施の形態におけるファイル一覧表示画面の一例を示す第１の図である。ファイル一覧画面７０には、ファイル表示可の映像ファイル情報の一覧が表示される。たとえば、図８に示される例では、各映像ファイルの映像ファイル情報、たとえばサムネイル画像（インデックス画像）が一覧表示されている。そのうち、既に、再生予約が設定されている映像ファイルのサムネイル画像の付近には、その旨を示す情報、たとえば「（特再）」と記した文字データ７１などが表示される。
【００７１】
また、ファイル一覧表示画面中ファイル一覧画面７０の左下には、ファイル表示不可の映像ファイル情報を呼び出すための所定の領域７２が、他の領域と識別可能に表示される。領域７２には、ファイル表示不可の映像ファイル情報を呼び出すためのシンボルやアイコン、文字などが表示されてもよいし、他の領域と異なる色が表されてもよい。また、ファイル一覧画面７０の右下には、たとえば「サムネイルを選択して下さい」というメッセージ７３が表示される。
【００７２】
次に、たとえば、ファイル一覧画面７０に表示されているサムネイル画像のうちの１つのサムネイル画像７４に対応する映像ファイルについて、再生予約が設定された場合のファイル一覧表示画面の一例を図１０に示す。図１０は、本発明の実施の形態におけるファイル一覧表示画面の一例を示す第２の図である。図１０を参照して、ファイル一覧画面９０には、ファイル表示可の映像ファイル情報の一覧が表示される。図８のファイル一覧画面７０と比較すると、ファイル一覧画面９０には、サムネイル画像７４が表示されていない。
【００７３】
このように、映像ファイル情報の非表示を可能とすることで、再生予約設定者以外の者はその映像ファイル情報を見ることができなくなるため、より感動的な演出を行なうことができる。
【００７４】
図１０に示したファイル一覧表示画面において、所定の領域７２が選択された場合（ステップＳ６においてＹＥＳ）に表示される画面の一例を図１１に示す。
【００７５】
図１１は、本発明の実施の形態におけるパスワード入力画面の一例を示す図である。図１１を参照して、テレビ４００には、パスワード入力画面３０が表示される（ステップＳ８）。そして、ユーザが入力したパスワードと一致するパスワードデータＣ８が存在した場合（ステップＳ１２においてＹＥＳ）、一致したパスワードデータＣ８が格納された特定日再生管理データＡｉの映像ファイル情報が表示される（ステップＳ１４）。
【００７６】
図１２は、本発明の実施の形態におけるファイル表示不可の映像ファイル情報の表示画面の一例を示す図である。図１２を参照して、表示画面４０には、ファイル表示不可のサムネイル画像が表示される。
【００７７】
なお、ステップＳ８〜Ｓ１６の処理は、表示フラグＣ７の値が“１”の特定日再生管理データＡｉが１つでも存在する場合にのみ実行されてもよい。
【００７８】
（特定日再生について）
図１３は、本発明の実施の形態における特定日再生処理を示すフローチャートである。
【００７９】
再生制御部１１０４は、電源がＯＮされるまで待機する（ステップＳ１０１においてＮＯ）。電源がＯＮされた場合（ステップＳ１０１においてＹＥＳ）、再生制御部１１０４は、タイマ録画中であるか否かを判断する（ステップＳ１０２）。タイマ録画中でないと判断した場合（ステップＳ１０２においてＮＯ）、ステップＳ１０４に進む。一方、タイマ録画中であると判断した場合（ステップＳ１０２においてＹＥＳ）、この特定日再生処理を終了する。
【００８０】
ステップＳ１０４において、再生制御部１１０４は、特定日再生管理テーブル２２２を参照して、未再生の特定日再生管理データＡｉ、すなわち、再生フラグＣ６の値が“０”の特定日再生管理データＡｉがあるか否かを判断する。未再生の特定日再生管理データＡｉがあると判断した場合（ステップＳ１０４においてＹＥＳ）、ステップＳ１０６に進む。一方、未再生の特定日再生管理データＡｉがないと判断した場合（ステップＳ１０４においてＮＯ）、この特定日再生処理を終了する。
【００８１】
ステップＳ１０６において、再生制御部１１０４は、未再生の特定日再生管理データＡｉが１つであるか否かを判断する。１つであると判断した場合（ステップＳ１０６においてＹＥＳ）、ステップＳ１０８に進む。一方、未再生の特定日再生管理データＡｉが複数あると判断した場合（ステップＳ１０６においてＮＯ）、ステップＳ１１０に進む。
【００８２】
ステップＳ１０８において、再生制御部１１０４は、現在の日時が、特定日から１週間以内であるか否かを判断する。特定日から１週間を超えていると判断した場合（ステップＳ１０８においてＮＯ）、特定日再生処理を終了する。特定日より１週間以内であると判断した場合（ステップＳ１０８においてＹＥＳ）、ステップＳ１１４に進む。
【００８３】
ステップＳ１１０において、再生制御部１１０４は、現在の日時が、直近の特定日から１週間以内であるか否かを判断する。すなわち、複数の特定日再生管理データＡｉに含まれる複数の特定日データＣ１のうち、現在日に最も近いデータが選択される。直近の特定日より１週間を超えていると判断した場合（ステップＳ１１０においてＮＯ）、特定日再生処理を終了する。直近の特定日より１週間以内であると判断した場合（ステップＳ１１０においてＹＥＳ）、ステップＳ１１４に進む。
【００８４】
ステップＳ１１４において、特定日再生管理データＡｉに格納されるファイル名データＣ３と、ファイル管理データＢｊに格納されるファイル名データＤ３とに基づいて、再生対象の映像ファイルを特定する。そして、再生制御部１１０４は、特定された映像ファイルの再生開始の指示をハードディスク装置１４０に送信する（ステップＳ１１６）。同時に、再生制御部１１０４は、対象の特定日再生管理データＡｉのメッセージデータＣ４を読み出して、表示するための処理を行なう（ステップＳ１１８）。これにより、たとえば図１４に示されるように、対象の映像ファイルに基づく映像とメッセージ５１とがテレビ４００に表示される。
【００８５】
次に、再生制御部１１０４は、特定日再生管理データＡｉの周期データＣ５が周期再生を示しているか否かを判断する（ステップＳ１２０）。周期再生を示していると判断した場合（ステップＳ１２０においてＹＥＳ）、ステップＳ１２２に進む。一方、周期再生を示していないと判断した場合（ステップＳ１２０においてＮＯ）、ステップＳ１２６に進む。
【００８６】
ステップＳ１２２において、再生制御部１１０４は、周期データＣ５に基づいて、特定日データＣ１を更新する。そして、再生フラグＣ６に０をセットする（ステップＳ１２４）。
【００８７】
ステップＳ１２６において、再生制御部１１０４は、再生フラグＣ６に１をセットする。
【００８８】
ステップＳ１２４またはステップＳ１２６の処理が終ると、特定日再生処理を終了する。
【００８９】
なお、自動再生を開始した後に（ステップＳ１１６の後に）、たとえばリモコンに設けられた停止キーが押下されると自動再生は強制的に終了されるものとする。つまり、再生制御部１１０４は、停止指示を検知すると、映像ファイルの再生停止の指示をハードディスク装置１４０に送信する。
【００９０】
このように、特定日から所定期間内に電源がＯＮされると、所定の場合を除き、自動的に予め選択した映像ファイルが再生される。これにより、電源をＯＮした者（たとえば家族）を、驚かせることができる。また、メッセージも表示されるため、より感動的な演出が可能となる。また、映像ファイル情報を非表示とすることができるため、設定者以外の者には知られることなく、特定日を迎えることができる。また、周期再生を可能とすることで、記念日を忘れてしまうことを防止することができる。
【００９１】
なお、本実施の形態においては、周期再生以外の場合、１度自動再生されると２度と再生されないようにしたが、特定日から所定期間内であれば、１度だけでなく電源ＯＮの度に自動再生できるようにしてもよい。
【００９２】
また、本実施の形態においては、特定日再生管理データＡｉを設けて説明したが、特定日再生管理データＡｉを設けない構成としてもよい。この場合、たとえば、ファイル管理データＢｊに、上記した再生関連情報を含めることとしてもよい。
【００９３】
上記ＤＶＤ１７２の代わりに、プログラムを記録しているたとえば光学媒体等を駆動装置で読み出して、メモリ１１２のプログラムをアップデートすることもできる。
【００９４】
また、本発明の映像ファイル再生装置が行なう、再生予約方法および／または特定日再生方法を、プログラムとして提供することもできる。このようなプログラムは、ＣＤ−ＲＯＭ（Compact Disc-ROM）などの光学媒体や、メモリカードなどのコンピュータ読取り可能な記録媒体にて記録させて、プログラム製品として提供することもできる。また、ネットワークを介したダウンロードによって、プログラムを提供することもできる。
【００９５】
提供されるプログラム製品は、ハードディスクなどのプログラム格納部にインストールされて実行される。なお、プログラム製品は、プログラム自体と、プログラムが記録された記録媒体とを含む。
【００９６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００９７】
【図１】本発明の実施の形態に係る映像ファイル再生装置のハードウェア構成を表わすブロック図である。
【図２】本発明の実施の形態におけるハードディスクの構造例を示す図である。
【図３】本発明の実施の形態におけるファイル管理テーブルのデータ構造の一例を示す図である。
【図４】本発明の実施の形態における特定日再生管理テーブルのデータ構造の一例を示す図である。
【図５】本発明の実施の形態におけるメニュー選択画面の一例を示す図である。
【図６】本発明の実施の形態における特定日再生予約設定処理を示すフローチャートである。
【図７】図６のステップＳ２に示したファイル一覧表示処理を示すフローチャートである。
【図８】本発明の実施の形態におけるファイル一覧表示画面の一例を示す第１の図である。
【図９】本発明の実施の形態における再生予約の設定画面の一例を示す図である。
【図１０】本発明の実施の形態におけるファイル一覧表示画面の一例を示す第２の図である。
【図１１】本発明の実施の形態におけるパスワード入力画面の一例を示す図である。
【図１２】本発明の実施の形態にファイル表示不可の映像ファイル情報の表示画面の一例を示す図である。
【図１３】本発明の実施の形態における特定日再生処理を示すフローチャートである。
【図１４】本発明の実施の形態における特定日再生の際の画面表示例を示す図である。
【符号の説明】
【００９８】
１００  ＤＶＤレコーダ、１１０  システム制御部、１１２  メモリ、１１４  ＯＳＤ画像生成回路、１２２  操作部、１２４  受光部、１２６  計時回路、１２８  表示部、１３０  チューナ、１３２  外部入力部、１４０  ハードディスク装置、１４２  データ記録再生ヘッド、１４４  ハードディスク、１５２  ＭＰＥＧエンコーダ、１５４  ＭＰＥＧデコーダ、１５８  合成回路、１６０  Ｄ／Ａ変換部、１６８  出力部、１７０  駆動装置、１９０  アンテナ、１９２  伝送ケーブル、２２１  ファイル管理テーブル、２２２  特定日再生管理テーブル、４００  テレビ、１１０２  再生予約設定部、１１０４  再生制御部。
【図１】
2007150548.tif 000003
【図２】
2007150548.tif 000004
【図３】
2007150548.tif 000005
【図４】
2007150548.tif 000006
【図５】
2007150548.tif 000007
【図６】
2007150548.tif 000008
【図７】
2007150548.tif 000009
【図８】
2007150548.tif 000010
【図９】
2007150548.tif 000011
【図１０】
2007150548.tif 000012
【図１１】
2007150548.tif 000013
【図１２】
2007150548.tif 000014
【図１３】
2007150548.tif 000015
【図１４】
2007150548.tif 000016